(57)【特許請求の範囲】
【請求項１】
入口に対応した１個のセンサを備え、当該センサが当該入口に入った検出対象物を検出すると信号を出力する遊技機で用いられる不正行為検知装置であって、
前記信号が入力される信号入力手段と、
カウント幅を記憶するカウント幅記憶手段と、
カウント数を記憶するカウント数記憶手段と、
前記カウント幅記憶手段によって記憶されているカウント幅の間に、前記信号入力手段に入力された信号の数を計測するカウント数計測手段と、
検出対象物詰まり判定時間を記憶する検出対象物詰まり判定時間記憶手段と、
前記信号入力手段に信号が入力されている時間を計測する信号入力時間計測手段と、
前記信号入力時間計測手段によって計測された時間が前記検出対象物詰まり判定時間記憶手段によって記憶されている検出対象物詰まり判定時間より長い場合に、前記入口に検出対象物が詰まったと判定する検出対象物詰まり判定手段と、
前記検出対象物詰まり判定手段によって前記入口に検出対象物が詰まったと判定された後に前記カウント数計測手段によって計測された信号の数が前記カウント数記憶手段によって記憶されているカウント数よりも大きいことを検出した場合、および／または、前記カウント数計測手段によって計測された信号の数が前記カウント数記憶手段によって記憶されているカウント数よりも大きことを検出した後に前記検出対象物詰まり判定手段によって前記入口に検出対象物が詰まったと判定された場合に、不正行為が行われたと判定する不正行為判定手段と、
を備えることを特徴とする不正行為検知装置。
【請求項２】
請求項１に記載の不正行為検知装置と、
前記入口と、
前記センサと、
前記カウント幅記憶手段にカウント幅を記憶させるカウント幅設定手段と、
前記カウント数記憶手段にカウント数を記憶させるカウント数設定手段と、
前記検出対象物詰まり判定時間記憶手段に検出対象物詰まり判定時間を記憶させる検出対象物詰まり判定時間設定手段と、
前記不正行為判定手段によって不正行為が行われたと判定されたことに応答して、不正行為に対応する処理を行う不正行為対応処理実行手段と、
を備えることを特徴とする遊技機。
【発明の詳細な説明】
【技術分野】
【０００１】
本発明は、パチンコ機やアレンジボール機等の遊技機において不正入賞行為を検知する不正行為検知装置およびそれを用いた遊技機に関する。
【背景技術】
【０００２】
パチンコ機やアレンジボール機等の遊技機では、入賞口に入った遊技球の経路に入賞センサが備えられている。入賞センサは、遊技球を検出すると、電気的な入賞信号を出力する。
この入賞センサは、電波を受けると誤動作し、入賞信号を出力することがある。そこで、無線機等を用いて入賞センサに電波を照射し、不正な入賞信号を出力させる不正行為が可能となる。
【０００３】
このような不正行為を検知するために、特許文献１に記載されている不正行為防止装置は、遊技球の経路に沿って、第１入賞センサと第２入賞センサを備えている。この不正行為防止装置は、第１入賞センサと第２入賞センサの両方の入賞信号の発生が時間的に一致した場合には、不正な入賞信号である（例えば、第１入賞センサと第２入賞センサが、電波を受けて誤動作し、同時に入賞信号を出力した。）と判定する。
【０００４】
また、特許文献２に記載されている遊技機は、入賞口に入った遊技球の経路に、入賞センサの他に、通過信号を出力する通過センサを備えており、入賞信号と通過信号の数の差が所定値に達すると、異常事態を報知する。
【０００５】
また、特許文献３に記載されているパチンコ機は、入賞口に遊技球が入ると入賞センサはローレベルの入賞信号を出力するが、そのローレベルの持続時間が１０ｍｓ〜１２８ｍｓの範囲外である場合には不正行為が行われていると判定する。
【先行技術文献】
【特許文献】
【０００６】
【特許文献１】特開平６−３２７８２８号公報
【特許文献２】特開２０００−２０２１３４号公報
【特許文献３】特開平３−１１１０７４号公報
【発明の開示】
【発明が解決しようとする課題】
【０００７】
特許文献１に開示されている発明では１つの入賞信号を出力するために２個のセンサが必要であり、特許文献２に開示されている発明では入賞センサの他に通過センサが必要である。
【０００８】
特許文献３に開示されている発明では１個の入賞センサから出力される入賞信号により不正行為を検知する。しかし、電波を照射された入賞センサが出力する不正な入賞信号の持続時間は予測できない。このため、特許文献３に開示されている発明では不正行為を検出するための持続時間の設定が難しい。
【０００９】
本発明は、上記実情に鑑みてなされたものであり、入口に対応して設けられた１個のセンサから、検出対象物が入口に入ると出力される信号に基づいて、確実に不正行為を検知することができる不正行為検知装置およびそれを用いた遊技機を提供することを目的とする。
【課題を解決するための手段】
【００１０】
上記目的を達成するために、本発明の不正行為検知装置は、
入口に対応した１個のセンサを備え、当該センサが当該入口に入った検出対象物を検出すると信号を出力する遊技機で用いられる不正行為検知装置であって、
前記信号が入力される信号入力手段と、
カウント幅を記憶するカウント幅記憶手段と、
カウント数を記憶するカウント数記憶手段と、
前記カウント幅記憶手段によって記憶されているカウント幅の間に、前記信号入力手段に入力された信号の数を計測するカウント数計測手段と、
検出対象物詰まり判定時間を記憶する検出対象物詰まり判定時間記憶手段と、
前記信号入力手段に信号が入力されている時間を計測する信号入力時間計測手段と、
前記信号入力時間計測手段によって計測された時間が前記検出対象物詰まり判定時間記憶手段によって記憶されている検出対象物詰まり判定時間より長い場合に、前記入口に検出対象物が詰まったと判定する検出対象物詰まり判定手段と、
前記検出対象物詰まり判定手段によって前記入口に検出対象物が詰まったと判定された後に前記カウント数計測手段によって計測された信号の数が前記カウント数記憶手段によって記憶されているカウント数よりも大きいことを検出した場合、および／または、前記カウント数計測手段によって計測された信号の数が前記カウント数記憶手段によって記憶されているカウント数よりも大きことを検出した後に前記検出対象物詰まり判定手段によって前記入口に検出対象物が詰まったと判定された場合に、不正行為が行われたと判定する不正行為判定手段と、
を備える。
【００１３】
また、本発明の遊技機は、
上述した不正行為検知装置と、
前記入口と、
前記センサと、
前記カウント幅記憶手段にカウント幅を記憶させるカウント幅設定手段と、
前記カウント数記憶手段にカウント数を記憶させるカウント数設定手段と、
前記検出対象物詰まり判定時間記憶手段に検出対象物詰まり判定時間を記憶させる検出対象物詰まり判定時間設定手段と、
前記不正行為判定手段によって不正行為が行われたと判定されたことに応答して、不正行為に対応する処理を行う不正行為対応処理実行手段と、
を備える。
【発明の効果】
【００１４】
本発明によれば、遊技機において、入口に対応して設けられた１個のセンサから、検出対象物が入口に入ると出力される信号に基づいて、確実に不正行為を検知することができる。
【図面の簡単な説明】
【００１５】
【図１】正規の入賞信号の波形の一例を示す図である。
【図２】電波を照射する不正行為が行われた場合の入賞信号の波形の一例を示す図である。
【図３】本発明の第１の実施形態に係る不正行為検知装置を含む遊技機の構成の一例を示す図である。
【図４】本発明の第１の実施形態が対象とする偽の入賞信号の波形の一例を示す図である。
【図５】本発明の第１の実施形態において、ＣＰＵが実行する処理の一例を示す図である。
【図６】本発明の第２の実施形態に係る不正行為検知装置を含む遊技機の構成の一例を示す図である。
【図７】本発明の第２の実施形態が対象とする偽の入賞信号の波形の一例を示す図である。
【図８】本発明の第２の実施形態において、ＣＰＵが実行する処理の一例を示す図である。
【発明を実施するための形態】
【００１６】
本発明の実施形態に係る不正行為検知装置を備えた遊技機は複数の入賞口を有しており、各入賞口はそれぞれ入賞センサを備えている。各入賞センサは、遊技球を検出すると、電気的な入賞信号を出力する。
【００１７】
図１は、入賞口の一つに正規に遊技球が入った場合に入賞センサが出力する正規の入賞信号の波形の一例を示す。
入賞センサが遊技球を検出していないとき、入賞センサは電圧Ｖｈｉｇｈ（ハイレベル）を出力する。入賞センサが遊技球を検出すると、入賞センサは電圧Ｖｌｏｗ（ローレベル）を出力し、遊技球が入賞センサを通過すると入賞センサは再度電圧Ｖｈｉｇｈを出力する。電圧Ｖｈｉｇｈから電圧Ｖｌｏｗに変化した後、再度電圧Ｖｈｉｇｈに変化するまでが１個の入賞信号に相当する。
時間ｔａ１と時間ｔａ２は、入賞信号が出力されている持続時間を示す。すなわち、時間ｔａ１と時間ｔａ２は、入賞センサが遊技球を検出してから、遊技球が入賞センサを通過するまでの時間を示す。時間ｔｂ１は、入賞センサが遊技球を検出していない時間、すなわち、入賞信号の間隔を示す。
【００１８】
図２は、例えば変形させた遊技球を入賞口に停留させて電波を照射する不正行為が行われた場合の入賞信号の波形の一例を示す。
入賞センサは、遊技球がないとき、電圧Ｖｈｉｇｈを出力している。変形させた遊技球が入賞口に停留すると、入賞センサは電圧Ｖｌｏｗを出力する。入賞口に遊技球が停留している状態で入賞センサに電波が照射されると、入賞信号は電圧Ｖｈｉｇｈと電圧Ｖｌｏｗを交互に繰り返す。ただし、電圧Ｖｌｏｗに保たれる時間と電圧Ｖｈｉｇｈに保たれる時間は両方とも短い。電圧Ｖｌｏｗに保たれる時間、例えば時間ｔａ３は偽の入賞信号が出力されている持続時間を示す。電圧Ｖｈｉｇｈに保たれる時間、例えば時間ｔｂ２は偽の入賞信号の間隔を示す。
例えば、パチンコ機の場合、１分間に１００発程度の遊技球が発射され、個々の入賞口に正規に入る遊技球は１秒間に１，２発程度であるが、偽の入賞信号は正規の入賞信号では起こりえないような短い間隔で出力される。
【００１９】
図３は、本発明の第１の実施形態に係る不正行為検知装置１００を含む遊技機１０の構成の一例を示す。遊技機１０は、不正行為検知装置１００と、フィルタ部２００と、ＣＰＵ（Ｃｅｎｔｒａｌ  Ｐｒｏｃｅｓｓｉｎｇ  Ｕｎｉｔ）３００と、メモリ３０１と、入力部３０２と、出力部３０３と、図示しない遊技機本体とを備えている。
入賞信号は遊技機本体の入賞センサから出力される。フィルタ部２００は、入力信号の立下りと立下りにそれぞれノイズが含まれている場合に、それらのノイズを除去する。
メモリ３０１は、遊技機本体や不正行為検知装置１００を制御するためのプログラム等を記憶している。ＣＰＵ３００はそれらのプログラムを実行する。入力部３０２は遊技機本体等から入力される各種の入力信号を受け付ける。出力部３０３は遊技機本体を制御するための制御信号や各種のデータ等を遊技機本体等に出力する。
【００２０】
不正行為検知装置１００は、制御部１１０と、カウント数計測部１２０とを有する。
制御部１１０は、カウント幅設定部１１１と、カウント数設定部１１２とを含んでいる。カウント幅設定部１１１には、ＣＰＵ３００よりカウント幅（カウント時間）が設定される。カウント数設定部１１２には、ＣＰＵ３００より不正入賞と判定されるカウント数が設定される。
カウント数計測部１２０は、タイマ１２１と、カウンタ１２２と、入賞不正フラグ設定部１２３とを含んでいる。タイマ１２１はカウント幅設定部１１１に設定されているカウント幅を計測し、カウンタ１２２はカウント幅の間に出力される入賞信号の数をカウントする。カウンタは、例えば、入賞信号の立下りエッジまたは立ち上がりエッジの数をカウントすることにより、入賞信号の数をカウントする。
【００２１】
カウント数計測部１２０は、カウント幅（カウント時間）の間に出力された入賞信号の数がカウント数設定部１１２に設定されているカウント数を超える場合、偽の入賞信号が入力されたとみなし、入賞不正フラグ設定部１２３に入賞不正フラグを設定する。すなわち、第１の実施形態では、正規の入賞信号では起こりえないような短い間隔で入賞信号が出力されている場合に不正行為が行われたと判定して、入賞不正フラグを設定する。
例えば、カウント数設定部１１２に２が設定されているとする。このとき、図４に示すように、カウント幅設定部１１１に設定されているカウント幅の間に入賞信号が３個カウントされると、カウント数計測部１２０は不正行為が行われたと判定して入賞不正フラグ設定部１２３に入賞不正フラグを設定する。
カウント数計測部１２０は、カウント幅が経過すると、カウンタ１２２を初期設定（例えば、アップカウンタの場合には０に設定する。）し、再度入賞信号のカウントを開始する。
【００２２】
ＣＰＵ３００は、不正行為検知装置１００を制御するためのプログラムが実行されると、図５に示すように、カウント幅設定部１１１とカウント数設定部１１２にそれぞれカウント幅とカウント数を設定する（Ｓ１０１、Ｓ１０２）。
そして、ＣＰＵ３００は、入賞不正フラグ設定部１２３に入賞不正フラグが設定されているか否かを判定する（Ｓ１０３）。入賞不正フラグ設定部１２３に入賞不正フラグが設定されていないと判定した場合（Ｓ１０３：ＮＯ）、ＣＰＵ３００は所定の時間が経過した後、入賞不正フラグが設定されているか否かを再度判定する（Ｓ１０３）。
入賞不正フラグが設定されていると判定した場合（Ｓ１０３：Ｙｅｓ）、ＣＰＵ３００は不正行為対応処理（Ｓ１０４）を行う。ステップＳ１０４の不正行為対応処理では、ＣＰＵ３００は、例えば、図示しない警報ランプを点灯させる、図示しない監視装置に警報信号を送信する等の処理を行う。そして、ＣＰＵ３００は、制御部１１０に入賞不正フラグをリセットさせる。
【００２３】
なお、第１の実施形態では、遊技機本体から入賞信号が１つ出力される例を示したが、遊技機本体から入賞信号を２つ以上出力し、各々の入賞信号に対応させて不正行為検知装置１００にフィルタ部とカウント数計測部をそれぞれ設けてもよいことはもちろんである。
【００２４】
第１の実施形態によれば、正規の入賞信号では起こりえないような短い間隔で入賞信号が出力されている場合に、入賞センサに電波が照射されるような不正行為が行われていると判定することができる。
【００２５】
図６は、本発明の第２の実施形態に係る不正行為検知装置１０１を含む遊技機１１の構成の一例を示す。遊技機１１は、不正行為検知装置１０１と、フィルタ部２００と、ＣＰＵ（Ｃｅｎｔｒａｌ  Ｐｒｏｃｅｓｓｉｎｇ  Ｕｎｉｔ）３００と、メモリ３０１と、入力部３０２と、出力部３０３と、図示しない遊技機本体とを備えている。また、不正行為検知装置１０１は、制御部１１３と、カウント数計測部１２０と、入賞時間計測部１３０とを有する。制御部１１３は、カウント幅設定部１１１と、カウント数設定部１１２と、入賞時間設定部１１４とを含んでいる。更に、カウント数計測部１２０は、タイマ１２１と、カウンタ１２２と、入賞不正フラグ設定部１２３とを含む。入賞時間計測部１３０は、タイマ１３１と、球詰まりフラグ設定部１３２とを含む。
第２の実施形態に係る遊技機１１は、不正行為検知装置１０１が入賞時間計測部１３０を有し、制御部１１３が入賞時間設定部１１４を含んでいる点が第１の実施形態に係る遊技機１０と異なる。その他の点は遊技機１１と遊技機１０は同一である。図６において遊技機１０と同様の構成要素には同一の符号を付し、説明を省略する。
【００２６】
入賞時間設定部１１４には、ＣＰＵ３００より球詰まり判定時間が設定される。入賞時間計測部１３０は、タイマ１３１を含み、入賞信号が出力されている持続時間（例えば、図１の時間ｔａ１や時間ｔａ２）を計測する。そして、入賞時間計測部１３０は、入賞信号が出力されている時間が入賞時間設定部１１４に設定されている球詰まり判定時間を超えた場合には、入賞口に遊技球が詰まったと判定して、球詰まりフラグ設定部１３２に球詰まりフラグを設定する。すなわち、第２の実施形態では、入賞信号が出力されている持続時間が所定の時間より長い場合、入賞口に遊技球が詰まったと判定して、球詰まりフラグ設定部１３２に球詰まりフラグを設定する。
例えば、カウント数設定部１１２と入賞時間設定部１１４にそれぞれ２と１２Ｍ（12,000,000）が設定されているとする。このとき、図７に示すように、入賞信号が出力されている時間が１２ＭＣＫ（クロック）を超えると、入賞時間計測部１３０は球詰まりフラグ設定部１３２に球詰まりフラグを設定する。なお、ＣＫ周波数が１２ＭＨｚのとき、１２ＭＣＫは１秒間に相当する。その後、カウント幅設定部１１１に設定されているカウント幅の間に入賞信号が３個カウントされると、カウント数計測部１２０は入賞口に遊技球が詰まったと判定して入賞不正フラグ設定部１２３に入賞不正フラグを設定する。
【００２７】
ＣＰＵ３００は、不正行為検知装置１０１を制御するためのプログラムが実行されると、図８に示すように、カウント幅設定部１１１とカウント数設定部１１２と入賞時間設定部１１４にそれぞれカウント幅とカウント数と球詰まり判定時間を設定する（Ｓ２０１、Ｓ２０２、Ｓ２０３）。
そして、ＣＰＵ３００は、入賞不正フラグ設定部１２３に入賞不正フラグが設定されているか否かを判定する（Ｓ２０４）。入賞不正フラグが設定されていないと判定した場合（Ｓ２０４：ＮＯ）、ＣＰＵ３００は所定の時間が経過した後、入賞不正フラグが設定されているか否かを再度判定する（Ｓ２０４）。
【００２８】
入賞不正フラグが設定されていると判定した場合（Ｓ２０４：Ｙｅｓ）、ＣＰＵ３００は、球詰まりフラグ設定部１３２に球詰まりフラグが設定されているか否かを判定する（Ｓ２０５）。球詰まりフラグが設定されていると判定した場合（Ｓ２０５：Ｙｅｓ）、ＣＰＵ３００は不正行為対応処理（Ｓ２０６）を行う。ステップＳ２０６の不正行為対応処理では、ＣＰＵ３００は、例えば、図示しない警報ランプを点灯させる、図示しない監視装置に警報信号を送信する等の処理を行う。そして、ＣＰＵ３００は、制御部１１３に入賞不正フラグと球詰まりフラグをリセットさせる。
【００２９】
一方、球詰まりフラグが設定されていないと判定した場合（Ｓ２０５：ＮＯ）、ＣＰＵ３００は、制御部１１３に入賞不正フラグをリセットさせ（Ｓ２０７）、ステップＳ２０４に戻って入賞不正フラグが設定されているか否かを再度判定する。
【００３０】
第２の実施形態によれば、短い間隔で入賞信号が出力されただけでは不正行為であると判定しない。変形させた遊技球を入賞口に停留させるような行為が行われ、入賞口が球詰まりしているときに、短い間隔で入賞信号が出力されると不正行為と判定する。このため、正規の入賞を不正行為と誤判定することがなくなる。
【００３１】
なお、例えば、不正行為を行っている者が入賞センサに電波を照射しながら変形させた遊技球を入賞口に向けて発射することも有り得る。このような場合、遊技中に入賞不正フラグは設定されても球詰まりフラグが設定されないことも起こりえる。しかし、少なくとも、遊技機の使用を終了するために無線機を止めるタイミングで球詰まりフラグが設定される。
このような場合に対応するために、不正行為検知装置１０１は入賞不正フラグと球詰まりフラグが両方とも設定された場合に球詰まり・入賞不正フラグを設定し、ＣＰＵ３００は球詰まり・入賞不正フラグが設定されている場合に不正行為対応処理（Ｓ２０６）を行うこととしてもよい。
【００３２】
第２の実施形態では、遊技機本体から入賞信号が１つ出力される例を示したが、遊技機本体から入賞信号を２つ以上出力し、各々の入賞信号に対応させて不正行為検知装置１０１にフィルタ部、カウント数計測部および入賞時間計測部をそれぞれ設けてもよいことはもちろんである。
【００３３】
また、上述した各実施形態では、遊技球が入賞口に入り、入賞センサが入賞信号を出力する例について説明したが、本発明は、これに限らず、例えば、コインの通る経路にコインセンサが設けられており、コイン投入口からコインが投入されると、コインセンサがコイン検出信号を出力する場合等にも適用できる。
更に、本発明は、球貸し出し装置やコイン貸し出し装置の硬貨（百円硬貨や五百円硬貨）の通る経路に硬貨センサが設けられており、硬貨投入口から硬貨が投入されると、硬貨センサが硬貨検出信号を出力する場合等にも適用できる。
【００３４】
また、上述した各実施形態では、ＣＰＵ３００が入賞不正フラグ、球詰まりフラグまたは球詰まり・入賞不正フラグが設定されているか否かを判定するとしたが、カウント数計測部と入賞時間計測部は、これらの各種フラグを設定する代わりに、不正行為や球詰まりを検出するとＣＰＵ３００に割り込み信号を送信し、ＣＰＵ３００はこれらの割り込み信号を受信すると割り込みにより不正行為対応処理を行うこととしてもよい。
【００３５】
以上、本発明の実施形態について説明したが、設計上の都合やその他の要因によって必要となる様々な修正や組み合わせは、本発明の範囲に含まれる。
【符号の説明】
【００３６】
１０、１１…遊技機、１００、１０１…不正行為検知装置、１１０、１１３…制御部、１１１…カウント幅設定部、１１２…カウント数設定部、１１４…入賞時間設定部、１２０…カウント数計測部、１２１…タイマ、１２２…カウンタ、１２３…不正入賞フラグ設定部、１３０…入賞時間計測部、１３１…タイマ、１３２…球詰まりフラグ設定部、２００…フィルタ部、３００…ＣＰＵ、３０１…メモリ、３０２…入力部、３０３…出力部
【図１】
0005833820.tif 000002
【図２】
0005833820.tif 000003
【図３】
0005833820.tif 000004
【図４】
0005833820.tif 000005
【図５】
0005833820.tif 000006
【図６】
0005833820.tif 000007
【図７】
0005833820.tif 000008
【図８】
0005833820.tif 000009